(57)【特許請求の範囲】
【請求項１】
壁部分（１，21）と、壁部分（１，21）の少なくとも一方の端部領域で半径方向に突出する少なくとも一個の固定部材（２）とを具える配管スリーブにおいて、壁部分の外周に、半径方向に突出する少なくとも一個のフラップ（３，22, 23）を設け、フラップ（３，22，23）の内法断面（Ｌ）を壁部分（１，21）の長手方向軸線と平行に延在させることによって、固定部材（２）を壁部分（１，21）に対して前記長手方向軸線と平行に着脱可能に結合したことを特徴とする配管スリーブ。
【請求項２】
請求項１に記載の配管スリーブにおいて、壁部分（１，21）の外周上に複数のフラップ（３，22，23）を少なくとも一列として配置したことを特徴とする配管スリーブ。
【請求項３】
請求項２記載の配管スリーブにおいて、フラップ（３，22，23）をほぼ等間隔で壁部分（１，21）の外周上に配置したことを特徴とする配管スリーブ。
【請求項４】
請求項２又は３に記載の配管スリーブにおいて、複数のフラップ（22、23）を二列として円周方向に分散配置し、フラップ（22、23）の内法断面（Ｌ）を互に離間した状態で対向させたことを特徴とする配管スリーブ。
【請求項５】
請求項１〜４のいずれか一項に記載の配管スリーブにおいて、固定部材（２）を壁部分（１）の母線すなわち長手方向軸線に沿って延在させると共に、フラップ（３，22, 23）に装入可能なフック（４）を固定部材（２）に設けたことを特徴とする配管スリーブ。
【請求項６】
請求項５に記載の配管スリーブにおいて、フック（４）をばねクリップとして形成したことを特徴とする配管スリーブ。
【請求項７】
請求項４又は５に記載の配管スリーブにおいて、フック（４）に、フラップ（３，22，23）と結合可能な係止素子（５）を設けたことを特徴とする配管スリーブ。
【発明の詳細な説明】
【０００１】
【技術分野】
本発明は、壁部分と、壁部分の少なくとも一方の端部領域で半径方向に突出する少なくとも一個の固定部材とを具える配管スリーブに関するものである。
【０００２】
【背景技術】
可燃性材料から成る配管を隔絶するため、壁部分と、壁部分の少なくとも一方の端部領域で半径方向に突出する固定部材とを具える配管スリーブは既知である。この場合、壁部分は、基本的に半円筒シェル形状をなす一対のハーフから構成し、これらハーフは互いに旋回可能とされている。
【０００３】
固定部材は、壁部分の端部領域で半径方向外方に向けて突出させ、かつ、配管スリーブの全周に亙って延在させたフランジから形成する。フランジは、少なくとも一個の貫通孔を有する。この貫通孔は、フランジ及び配管スリーブ全体を建造物の基礎材料に固定するために、基礎材料と結合可能な固定素子を貫通させるものである。そして、配管スリーブには不燃性を有する挿入部材を配置する。
【０００４】
上述した既知の配管スリーブは、隅角部、壁、天井又は床に近接配置された配管には使用できない。これは、フランジの半径方向突出部により、配管スリーブを任意の位置に設置できないからである。
【０００５】
【発明の開示】
本発明の課題は、隅角部、壁、天井又は床に近接配置された配管に迅速かつ容易に配置可能な配管スリーブを提案することにある。
【０００６】
この課題を解決するため、本発明は、壁部分と、壁部分の少なくとも一方の端部領域で半径方向に突出する少なくとも一個の固定部材とを具える配管スリーブにおいて、固定部材を壁部分に対して着脱可能に結合したことを特徴とするものである。
【０００７】
固定部材と壁部分とを着脱可能に結合することにより、先ず配管スリーブの壁部分を配管に結合し、続いて、固定部材が壁、天井又は床とは接触しない壁部分の外周領域において固定部材を壁部分に固定することが可能となる。
【０００８】
壁部分に固定部材を着脱可能に結合するため、壁部分の外周には半径方向に突出する少なくとも一個のフラップを設けるのが有利である。
【０００９】
基礎材料の表面の端部に配管スリーブを固定可能とするため、フラップの内法断面を壁部分の長手方向軸線と平行に延在させるのが望ましい。
【００１０】
既存の箇所に応じた壁部分の外周に固定部材を取り付け可能とするため、壁部分の外周上に複数のフラップを少なくとも一列として配置するのが有利である。
【００１１】
製造上及び組立技術上の理由により、フラップをほぼ等間隔で壁部分の外周上に配置するのが望ましい。この場合、固定部材を直径対向位置に配置し、かつ、固定部材を互いに等間隔で配置することが可能である。かくして、基礎材料に固定した固定部材の保持力は壁部分の円周に均等配分される。
【００１２】
壁部分のフラップの断面に固定部材の懸架を可能とするため、固定部材を壁部分の母線に沿って延在させ、かつ、フラップに挿入可能なフックを固定部材に設けるのが有利である。固定部材は、フックの他にもクランプ面を有する。このクランプ面は、フックの開口に対してほぼ直角に延在すると共に固定素子を通すための少なくとも一個の貫通開口を有する。
【００１３】
フックは、壁部分の端部に向けて開放する形状に形成するのが望ましい。その際、クランプ面における基礎材料側部分とフックの内側湾曲部分との間隔は、基礎材料の表面に接する壁部分の端部とフラップの開口領域との間隔にほぼ一致する。
【００１４】
フラップによるフックの良好な保持を可能とするため、フックをばねクリップとして形成するのが有利である。このようなフックは、フラップ領域において壁部分の材料厚さよりも僅かに小さい開口幅を有する。フックをフラップに挿入する際にフックは僅かに拡開するため、フックは付勢されて変位すると共にフラップと摩擦結合する。
【００１５】
さらに、壁部分から固定部材が離脱することを回避可能とするため、固定部材と壁部分とを形状結合することも可能である。このような形状結合は、フラップと結合可能な係止素子を具えるフックを用いて実現することが有利である。係止素子としてのフックは内側に少なくとも一個の突条を具え、該突条はフラップに対応して配置した凹所又は貫通開口と係合させることができる。
【００１６】
壁部分の固定のため、複数の固定部材を設けることができる。
【００１７】
【最良の実施形態】
以下、図示実施例につき本発明を一層具体的に説明する。
【００１８】
図１に示す配管スリーブは、半シェル形状を呈する一対のハーフからなる壁部分１を具え、これらハーフは一方の端部領域における共通旋回軸線６を中心として互いに旋回可能である。旋回軸線６と対向する壁部分１の他方の端部領域を、半径方向に突出する一対のフランジ７，８として形成する。フランジ７，８の対応する貫通孔内に少なくとも一本のクランプねじ９を通過させてフランジ７，８を締結することにより、壁部分１を配管に対して固定する。
【００１９】
壁部分１は、略円形の断面形状を実現すべく円周方向に複数回屈曲させた形状の金属型材から構成する。配管スリーブの長手方向における壁部分１の端部１３は、半径方向内方に向けて折り曲げた形状の側方延長部を有する。壁部分１を略円形とするために側方延長部には適切な材料欠落部１４を形成する。内方に折り曲げた壁部分１の側方延長部により不燃性の挿入部材１１を収容／案内可能とする。
【００２０】
壁部分１には、半径方向に突出する複数のフラップ３を円周方向に均等に分散配置する。フラップ３は、少なくとも一個の固定部材２と結合して配管スリーブを建造物の基礎材料Ｕ等の表面に固定するものである。
【００２１】
図示の配管スリーブは、構造物の隅角部に敷設した配管１０を包囲する。両固定部材２は壁部分１の円周上の任意の位置に配置することはできない。それにも拘わらず、壁部分１の円周上に複数のフラップ３を配置したため、固定部材２は可能な限り壁に近接させて固定することができる。両固定部材２は、ほぼ直径対向位置に配置する。壁部材１を固定する際、複数の固定部材２を用いて配管スリーブを固定することが可能である。
【００２２】
図２に示す固定部材２はフック４とクランプ面１５とを具え、  該クランプ面には貫通開口１２が設けられている。フック４の内側に係止素子５としての突条を設ける。係止素子５は、図示した適宜の凹所又は貫通開口を通じて支持部材のフラップに形状結合させることが可能である。
【００２３】
基礎材料Ｕに対する固定部材２の良好な固定を実現可能とするため、クランプ面１５の幅はフラップの内法断面に適合させたフック４の幅よりも大とする。
【００２４】
図３に示す配管スリーブの壁部分２１は、  半円筒シェル形状をなす一対のハーフから構成し、該ハーフは旋回軸線２９を中心として互いに旋回可能に結合すると共に、半径方向に突出するフランジ２６，  ２７を有する。  フランジ２６，  ２７は、  クランプねじ２８により互いに締結される。本実施例では複数のフラップ２２，  ２３を二列として円周方向に分散配置する。  その際、  フラップ２２，  ２３の内法幅又は内法断面を互いに離間した状態で対向させて、図示しない固定部材のフックを挿入可能とする。フラップ２２，  ２３に貫通開口２４，  ２５を設け、これら貫通開口は固定部材のフックにおいて係止素子と形状結合可能とする。
【図面の簡単な説明】
【図１】図１は、本発明の一実施例による配管スリーブの固定状態を示す平面図である。
【図２】図２は、図１に示した配管スリーブを固定するための固定部材を示す側面図である。
【図３】図３は、複数のフラップを壁部分の外周上に二列に配置した本発明の他の実施例による配管スリーブを示す正面図である。
【符号の説明】
１，２１    壁部分
２  固定部材
３，２２，  ２３    フラップ
４  フック
５  係止素子
【図１】
0003574215.tif 000002
【図２】
0003574215.tif 000003
【図３】
0003574215.tif 000004